(57)【要約】      （修正有）【課題】簡単な構成で録画ミスを防止できるとともに利便性を向上することのできるディスク記録再生装置の提供。【解決手段】メニュー画面には録画済のタイトルの一覧、録画可能な残り時間、予約録画項目、録画項目、フォーマット項目、消去項目が表示される。一覧から一つのタイトルを選択するとそのタイトルの再生が行われてディスプレイに表示される。録画または予約録画を行う場合は、使用者は残り時間を確認して録画可能な時間が残っている場合に予約録画項目、録画項目を選択する。録画項目の選択により受信中のチャンネルの番組が録画開始される。予約録画項目を選択すると予約録画の設定画面が表示され、録画予約を行うことができる。録画可能な時間が残っていない場合は使用者によりディスクの入れ替え、フォーマット項目の選択、或いは消去項目の選択が行われる。フォーマット項目を選択するとディスクがフォーマットされ、録画可能になる。消去項目を選択すると録画済のタイトルを消去することができ、録画可能になる。【選択図】図３
0003112913.tif 000002
【実用新案登録請求の範囲】
【請求項１】
ディスプレイに接続され、放送を受信してディスクに録画するとともに、録画した映像
を再生して該ディスプレイに表示するディスク記録再生装置において、該ディスクの録画
可能な残り時間と、該ディスクに録画済のタイトルの一覧と、予約録画を設定する予約録
画項目と、録画開始を指示する録画項目と、ディスクのフォーマットを指示するフォーマ
ット項目と、録画済のタイトルの消去を指示する消去項目とを有するメニュー画面をディ
スクの挿入時にディスプレイに表示し、録画済のタイトルを選択した際に再生を行うとと
もに予約録画項目を選択した際に予約録画の設定画面を表示することを特徴とするディス
ク記録再生装置。
【請求項２】
ディスプレイに接続され、放送を受信してディスクに録画するとともに、録画した映像
を再生して該ディスプレイに表示するディスク記録再生装置において、該ディスクの録画
可能な残り時間と、該ディスクに録画済のタイトルの一覧とを有するメニュー画面をディ
スクの挿入時にディスプレイに表示し、録画済のタイトルを選択した際に再生を行うこと
を特徴とするディスク記録再生装置。
【請求項３】
予約録画の設定を指示する予約録画項目を前記メニュー画面に表示し、予約録画項目を
選択した際に予約録画の設定画面を表示することを特徴とする請求項２に記載のディスク
記録再生装置。
【請求項４】
ディスクのフォーマットを指示するフォーマット項目と、録画済のタイトルの消去を指
示する消去項目とを前記メニュー画面に表示したことを特徴とする請求項２または請求項
３に記載のディスク記録再生装置。
【請求項５】
タイトルの一覧からカーソルが配置されたタイトルを再生して前記メニュー画面ととも
に前記ディスプレイに表示し、前記消去項目の選択によって該タイトルを消去することを
特徴とする請求項４に記載のディスク記録再生装置。
【請求項６】
録画を開始する録画項目を前記メニュー画面に表示するとともに、受信中の放送を前記
メニュー画面とともに前記ディスプレイに表示し、前記録画項目の選択によって該放送の
録画を開始することを特徴とする請求項２〜請求項４のいずれかに記載のディスク記録再
生装置。
【考案の詳細な説明】
【技術分野】
【０００１】
本考案は、ディスクに放送を録画するとともに、録画した映像を再生して出力するディ
スク記録再生装置に関する。
【背景技術】
【０００２】
外部のディスプレイに接続されるディスク記録再生装置は、放送を受信してディスクに
録画することができる。また、ディスクに記録されたデータを読み出して再生を行い、デ
ィスプレイに出力する。これにより、再生した映像及び音声を視聴することができる。特
許文献１には録画ミスを防止できるディスク記録再生装置が開示されている。
【０００３】
このディスク記録再生装置は、番組の録画予約が完了した時点でディスクの残量が録画
可能な残量か否かを判別する。ディスクの残量から録画できないと判断した際には、消去
してもよい番組の優先順位を判断して消去してもよいか否かを使用者に通知する。この時
、録画済の番組情報の一覧と録画予約した番組情報の一覧とを優先順位順に表示するとと
もにディスクの残量が表示される。優先順位は予め使用者によって消去可に設定すること
や再生した回数等により決定される。
【０００４】
使用者により番組の消去が許可されると、録画済または予約済の番組を消去して予約さ
れた番組を録画する。これにより、ディスクの残量不足によって録画できない録画ミスを
防止することができる。
【特許文献１】特開２００１−１６０２８１号公報（第１１頁−第１５頁、第１０図）
【考案の開示】
【考案が解決しようとする課題】
【０００５】
しかしながら、上記従来のディスク記録再生装置によると、録画予約を完了した時点で
録画の可否が判断される。このため、ディスクの残量が不足する場合に別のディスクと入
れ替えると再度録画予約する必要があり、ディスク記録再生装置の利便性が悪い問題があ
った。また、録画の可否や優先順位を判別するための制御が複雑になる問題もあった。
【０００６】
本考案は、簡単な構成で録画ミスを防止できるとともに利便性を向上することのできる
ディスク記録再生装置を提供することを目的とする。
【課題を解決するための手段】
【０００７】
上記目的を達成するために本考案は、ディスプレイに接続され、放送を受信してディス
クに録画するとともに、録画した映像を再生して該ディスプレイに表示するディスク記録
再生装置において、該ディスクの録画可能な残り時間と、該ディスクに録画済のタイトル
の一覧と、予約録画を設定する予約録画項目と、録画開始を指示する録画項目と、ディス
クのフォーマットを指示するフォーマット項目と、録画済のタイトルの消去を指示する消
去項目とを有するメニュー画面をディスクの挿入時にディスプレイに表示し、録画済のタ
イトルを選択した際に再生を行うとともに予約録画項目を選択した際に予約録画の設定画
面を表示することを特徴としている。
【０００８】
この構成によると、ディスク記録再生装置にディスクを装填すると、録画済のタイトル
及びディスクの記録可能な残り時間が検出される。ディスク記録再生装置に接続されるデ
ィスプレイにはメニュー画面が表示される。メニュー画面には録画済のタイトルの一覧、
録画可能な残り時間、予約録画項目、録画項目、フォーマット項目、消去項目が表示され
る。タイトルの一覧から一つのタイトルを選択すると、そのタイトルの再生が行われてデ
ィスプレイに表示される。録画または予約録画を行う際には、使用者は残り時間を確認し
て録画可能な時間が残っている場合に予約録画項目または録画項目を選択する。録画項目
が選択されると、受信中のチャンネルの番組が録画開始される。予約録画項目を選択する
と予約録画の設定画面が表示され、録画予約を行うことができる。録画可能な時間が残っ
ていない場合は使用者によりディスクの入れ替え、フォーマット項目の選択、或いは消去
項目の選択が行われる。フォーマット項目を選択するとディスクがフォーマットされ、録
画可能になる。消去項目を選択すると録画済のタイトルを消去することができ、録画可能
になる。消去するタイトルは消去項目の選択前に指定してもよく、消去項目の選択後に指
定してもよい。
【０００９】
また本考案は、ディスプレイに接続され、放送を受信してディスクに録画するとともに
、録画した映像を再生して該ディスプレイに表示するディスク記録再生装置において、該
ディスクの録画可能な残り時間と、該ディスクに録画済のタイトルの一覧とを有するメニ
ュー画面をディスクの挿入時にディスプレイに表示し、録画済のタイトルを選択した際に
再生を行うことを特徴としている。
【００１０】
この構成によると、ディスク記録再生装置にディスクを装填すると、録画済のタイトル
及びディスクの記録可能な残り時間が検出される。ディスク記録再生装置に接続されるデ
ィスプレイにはメニュー画面が表示される。メニュー画面には録画済のタイトルの一覧、
録画可能な残り時間が表示される。タイトルの一覧から一つのタイトルを選択すると、そ
のタイトルの再生が行われてディスプレイに表示される。録画または予約録画を行う際に
は、使用者は残り時間を確認して録画可能な時間が残っている場合に予約録画または録画
の操作を行う。録画可能な時間が残っていない場合は使用者によりディスクの入れ替え、
ディスクのフォーマット操作、或いはタイトルの消去操作が行われる。
【００１１】
また本考案は、上記構成のディスク記録再生装置において、予約録画の設定を指示する
予約録画項目を前記メニュー画面に表示し、予約録画項目を選択した際に予約録画の設定
画面を表示することを特徴としている。この構成によると、メニュー画面に表示される予
約録画項目を選択すると予約録画の設定画面が表示され、録画予約を行うことができる。
【００１２】
また本考案は、上記構成のディスク記録再生装置において、ディスクのフォーマットを
指示するフォーマット項目と、録画済のタイトルの消去を指示する消去項目とを前記メニ
ュー画面に表示したことを特徴としている。
【００１３】
この構成によると、ディスクに録画可能な時間が残っていない場合はメニュー画面に表
示されるフォーマット項目または消去項目を選択することができる。フォーマット項目を
選択するとディスクがフォーマットされ、録画可能になる。消去項目を選択すると録画済
のタイトルを消去することができ、録画可能になる。消去するタイトルは消去項目の選択
前に指定してもよく、消去項目の選択後に指定してもよい。
【００１４】
また本考案は、上記構成のディスク記録再生装置において、タイトルの一覧からカーソ
ルが配置されたタイトルを再生して前記メニュー画面とともに前記ディスプレイに表示し
、前記消去項目の選択によって該タイトルを消去することを特徴としている。この構成に
よると、一覧表示されるタイトル上にカーソルを移動するとメニュー画面の背景またはメ
ニュー画面と２画面表示でそのタイトルの再生画面が表示される。使用者は再生画面を確
認して消去項目を選択することにより該タイトルが消去される。
【００１５】
また本考案は、上記構成のディスク記録再生装置において、録画を開始する録画項目を
前記メニュー画面に表示するとともに、受信中の放送を前記メニュー画面とともに前記デ
ィスプレイに表示し、前記録画項目の選択によって該放送の録画を開始することを特徴と
している。この構成によると、メニュー画面の背景またはメニュー画面と２画面表示で現
在選択されているチャンネルの番組が表示される。使用者は番組を確認して録画項目を選
択することにより該番組の録画が開始される。
【考案の効果】
【００１６】
本考案によると、ディスクの装填時に表示されるメニュー画面にディスクの録画可能な
残り時間と、該ディスクに録画済のタイトルの一覧とを表示するので、容易に所望のタイ
トルを再生できるとともに、使用者は残り時間により予約録画の可否を判断することがで
きる。これにより、録画予約設定後にディスクの入れ替え等を行う必要がなく、制御プロ
グラムを簡素化して簡単な構成で録画ミスを防止できるとともにディスク記録再生装置の
利便性を向上することができる。
【００１７】
また本考案によると、予約録画の設定を指示する予約録画項目をメニュー画面に表示し
たので、簡単に予約録画の設定に移行することができる。従って、ディスク記録再生装置
の利便性をより向上することができる。
【００１８】
また本考案によると、ディスクのフォーマットを指示するフォーマット項目と、録画済
のタイトルの消去を指示する消去項目とをメニュー画面に表示したので、ディスクの残り
時間が不足する際に簡単に空き領域を作成することができる。
【００１９】
また本考案によると、カーソルが配されたタイトルの再生画面をメニュー画面とともに
表示するので、使用者は各タイトルの内容を確認して消去することができる。従って、誤
消去を防止し、ディスク記録再生装置の利便性をより向上することができる。
【００２０】
また本考案によると、受信中放送をメニュー画面とともに表示するので、使用者は各チ
ャンネルの内容を確認して録画を開始することができる。従って、誤録画を防止し、ディ
スク記録再生装置の利便性をより向上することができる。
【考案を実施するための最良の形態】
【００２１】
以下に本考案の実施形態を図面を参照して説明する。図１は一実施形態のディスク記録
再生装置の構成を示すブロック図である。ＤＶＤ、ＨＤ  ＤＶＤ（登録商標）、ブルーレ
イディスク等のディスクに記録再生を行うディスク記録再生装置１は各部を制御する制御
部２を有している。制御部２にはチューナ３、ピックアップ４、駆動部５、メモリ６、出
力部７、エンコーダ８、デコーダ９、操作部１０が接続される。
【００２２】
チューナ３はアンテナ（不図示）を介して受信した放送電波を分波し、ビデオ信号及び
音声信号を出力する。ピックアップ４はディスクに光を照射して信号の書込み及び読出し
を行う。駆動部５はディスクのローディング及び回転駆動を行うとともに、ピックアップ
４のフォーカシング及びトラッキングを行う。
【００２３】
メモリ６はディスク記録再生装置１の動作プログラムの格納や、制御部２による演算結
果の一時記憶を行う。エンコーダ８はディスクから出力されるデジタル信号をアナログの
ビデオ信号及び音声信号に変換する。出力部７はディスク記録再生装置１に接続されるデ
ィスプレイ１１及びスピーカ１２にビデオ信号及び音声信号を出力する。
【００２４】
デコーダ９はチューナ７から出力されるビデオ信号及び音声信号をデジタル信号に変換
する。操作部１０はディスク記録再生装置１の前面に設けられた操作キー及びリモートコ
ントローラから成り、使用者による操作を行う。
【００２５】
ディスク記録再生装置１により録画を行う場合は、アンテナで受信したテレビ放送電波
がチューナ３により分波され、ビデオ信号及び音声信号が出力される。ビデオ信号及び音
声信号はデコーダ９によりデジタル信号に変換され、データを圧縮してピックアップ４に
よりディスクに記録される。これにより、放送の録画が行われる。
【００２６】
ディスク記録再生装置１により再生を行う場合は、録画した圧縮データがピックアップ
４によりディスクから取り出されて復号化される。復号化したデジタル信号はエンコーダ
８でビデオ信号及び音声信号に変換され、出力部７からディスプレイ１１及びスピーカ１
２に出力される。これにより、録画した放送を視聴することができる。
【００２７】
図２はディスク記録再生装置１にディスクを装填したときの初期動作を示すフローチャ
ートである。ディスクを装填すると、ステップ＃１０でディスクに録画済のタイトル及び
ディスクの残り容量に基づく録画可能な残り時間が検出される。ステップ＃１１では図３
に示すメニュー画面がディスプレイ１１に表示される。
【００２８】
メニュー画面には、ディスクに録画済のタイトルの一覧、ディスクの残り時間、予約録
画の設定を選択する「時刻」、「Ｇコード」、「ＥＰＧ」の項目（予約録画項目）、ディ
スクのフォーマットを指示する「フォーマット」の項目、タイトルの消去を指示する「消
去」の項目、録画の開始を指示する「録画」の項目が表示される。
【００２９】
各タイトル及び各項目はリモートコントローラに設けたカーソル移動キー等の操作によ
ってカーソル移動して、決定キー等の操作によって選択可能になっている。尚、同図は第
２番目のタイトルにカーソルが移動した状態を示している。
【００３０】
ステップ＃１３では一覧されたタイトル上にカーソル移動されたか否かが判別される。
タイトル上にカーソル移動されていない場合はステップ＃１４に移行する。タイトル上に
カーソル移動された場合はステップ＃１３でそのタイトルの再生画像がメニュー画面の背
景に表示される。これにより、各タイトルの内容を確認した後に後述する操作によってメ
ニュー画面のない再生画像を視聴することができる。再生画像とメニュー画面とを２画面
でディスプレイ１１に表示してもよい。
【００３１】
ステップ＃１４ではタイトルを含むいずれかの項目が選択されたか否かが判断される。
ステップ＃１５では選択された項目がタイトルか否かが判断される。タイトルが選択され
た場合はステップ＃１６でメニュー画面を消去して選択されたタイトルの再生が行われ、
ディスプレイに表示される。そして、ディスク記録再生装置１の初期動作を終了する。こ
れにより、メニュー画面から所望の録画済タイトルを選択するだけで迅速に視聴すること
ができる。
【００３２】
ステップ＃１７では選択された項目が予約録画の各項目か否かが判断される。使用者は
メニュー画面に表示された残り時間により録画可能か否かを判断し、録画可能な場合は予
約録画項目を選択する。予約録画項目のいずれかが選択された場合はステップ＃１８に移
行して予約録画の設定画面が表示される。
【００３３】
リモートコントローラに予約録画キーを設けて予約録画キーの操作によって予約録画の
設定画面を表示してもよい。しかしながら、メニュー画面に予約録画項目を設けることに
より、使用者にわかりやすく簡単に予約録画の設定に移行できるとともに、操作キーを削
減することができる。また、時刻による設定、Ｇコードによる設定、或いはＥＰＧによる
設定を直接選択することができ、操作性が向上する。
【００３４】
「時刻」の項目が選択された場合には、予約録画の設定画面は、日付、開始時刻、終了
時刻、チャンネル等の入力画面から成る。「Ｇコード」の項目が選択された場合には、予
約録画の設定画面は、Ｇコードの入力画面から成る。「ＥＰＧ」の項目が選択された場合
には、予約録画の設定画面は、ＥＰＧ（Electronic Program Guide）の表示画面から成り
、使用者により録画する番組が選択される。そして、ディスク記録再生装置１の初期動作
を終了する。
【００３５】
ステップ＃１９では選択された項目が「録画」の項目か否かが判断される。使用者はメ
ニュー画面に表示された残り時間により録画可能か否かを判断し、録画可能な場合は「録
画」の項目を選択する。「録画」の項目が選択された場合はステップ＃２０に移行して現
在選択されているチャンネルの録画が開始される。この時、ディスプレイ１１にはメニュ
ー画面を消去して録画中の番組が表示される。そして、ディスク記録再生装置１の初期動
作を終了する。
【００３６】
尚、メニュー画面の背景には録画済タイトルの再生画面が表示されているが、受信した
放送の番組をメニュー画面の背景に表示してもよい。これにより、チャンネルの変更によ
り各チャンネルの番組内容を確認して録画を開始することができる。
【００３７】
ステップ＃２１では選択された項目が「フォーマット」の項目か否かが判断される。メ
ニュー画面に表示された残り時間により録画または予約録画ができないと使用者が判断し
た場合には、ディスクの入れ替え、ディスクのフォーマット、不要なタイトルの消去のい
ずれかが行われる。ディスクを入れ替えた場合は初期動作がステップ＃１０から行われる
。
【００３８】
「フォーマット」の項目が選択された場合には、ステップ＃２２に移行してディスクの
フォーマットが行われる。「消去」の項目が選択された場合は、ステップ＃２３に移行し
て直前にカーソル移動されたタイトルの消去が行われる。「消去」の項目を選択した後に
消去するタイトルを選択する画面に移行してもよい。これらにより、ディスクに空き領域
を形成して録画可能になり、ステップ＃１０に戻って録画または予約録画が行われる。
【００３９】
本実施形態によると、ディスクの装填時に表示されるメニュー画面にディスクの録画可
能な残り時間と、該ディスクに録画済のタイトルの一覧とを表示するので、容易に所望の
タイトルを再生できるとともに、使用者は残り時間により予約録画の可否を判断すること
ができる。これにより、録画予約設定後にディスクの入れ替え等を行う必要がなく、制御
プログラムを簡素化して簡単な構成で録画ミスを防止できるとともにディスク記録再生装
置１の利便性を向上することができる。
【産業上の利用可能性】
【００４０】
本考案によると、ＤＶＤ、ＨＤ  ＤＶＤ（登録商標）、ブルーレイディスク等のディス
クに録画するディスク記録再生装置に利用することができる。
【図面の簡単な説明】
【００４１】
【図１】本考案の実施形態のディスク記録再生装置の構成を示すブロック図
【図２】本考案の実施形態のディスク記録再生装置のディスク装填時の動作を示すフローチャート
【図３】本考案の実施形態のディスク記録再生装置のディスク装填時のメニュー画面を示す図
【符号の説明】
【００４２】
１    ディスク記録再生装置
２    制御部
３    チューナ
４    ピックアップ
５    ローディング部
６    メモリ
７    出力部
８    エンコーダ
９    デコーダ
１０    操作部
１１    ディスプレイ
１２    スピーカ
【図１】
0003112913.tif 000003
【図２】
0003112913.tif 000004
【図３】
0003112913.tif 000005
【手続補正書】
【提出日】平成17年4月27日(2005.4.27)
【手続補正１】
【補正対象書類名】実用新案登録請求の範囲
【補正対象項目名】全文
【補正方法】変更
【補正の内容】
【実用新案登録請求の範囲】
【請求項１】
ディスプレイに接続され、放送を受信してディスクに録画するとともに、録画した映像
を再生して該ディスプレイに表示するディスク記録再生装置において、該ディスクの録画
可能な残り時間と、該ディスクに録画済のタイトルの一覧と、予約録画を設定する予約録
画項目と、録画開始を指示する録画項目と、ディスクのフォーマットを指示するフォーマ
ット項目と、録画済のタイトルの消去を指示する消去項目とを有するメニュー画面をディ
スクの挿入時にディスプレイに表示するとともに再生した画像をディスプレイに表示する
出力部と、前記出力部を制御する制御部とを備え、前記制御部は、使用者の指示により録
画済のタイトルが選択された際に再生した画像をディスプレイに表示させるとともに、使
用者の指示により予約録画項目が選択された際に予約録画の設定画面をディスプレイに表
示させることを特徴とするディスク記録再生装置。
【請求項２】
ディスプレイに接続され、放送を受信してディスクに録画するとともに、録画した映像
を再生して該ディスプレイに表示するディスク記録再生装置において、該ディスクの録画
可能な残り時間と、該ディスクに録画済のタイトルの一覧とを有するメニュー画面をディ
スクの挿入時にディスプレイに表示するとともに再生した画像をディスプレイに表示する
出力部と、前記出力部を制御する制御部とを備え、前記制御部は、使用者の指示により録
画済のタイトルが選択された際に再生した画像をディスプレイに表示させることを特徴と
するディスク記録再生装置。
【請求項３】
前記出力部は予約録画の設定を指示する予約録画項目を前記メニュー画面に表示し、前
記制御部は、使用者の指示により予約録画項目が選択された際に予約録画の設定画面をデ
ィスプレイに表示させることを特徴とする請求項２に記載のディスク記録再生装置。
【請求項４】
ディスクのフォーマットを指示するフォーマット項目と、録画済のタイトルの消去を指
示する消去項目とを前記出力部により前記メニュー画面に表示したことを特徴とする請求
項２または請求項３に記載のディスク記録再生装置。
【請求項５】
前記出力部はタイトルの一覧からカーソルが配置されたタイトルを再生して前記メニュ
ー画面とともに前記ディスプレイに表示し、前記制御部は使用者の指示により前記消去項
目が選択された際に該タイトルを消去することを特徴とする請求項４に記載のディスク記
録再生装置。
【請求項６】
前記出力部は録画を開始する録画項目を前記メニュー画面に表示するとともに、受信中
の放送を前記メニュー画面とともに前記ディスプレイに表示し、前記制御部は使用者の指
示により前記録画項目が選択された際に該放送の録画を開始することを特徴とする請求項
２〜請求項４のいずれかに記載のディスク記録再生装置。
【手続補正２】
【補正対象書類名】明細書
【補正対象項目名】０００７
【補正方法】変更
【補正の内容】
【０００７】
上記目的を達成するために本考案は、ディスプレイに接続され、放送を受信してディス
クに録画するとともに、録画した映像を再生して該ディスプレイに表示するディスク記録
再生装置において、該ディスクの録画可能な残り時間と、該ディスクに録画済のタイトル
の一覧と、予約録画を設定する予約録画項目と、録画開始を指示する録画項目と、ディス
クのフォーマットを指示するフォーマット項目と、録画済のタイトルの消去を指示する消
去項目とを有するメニュー画面をディスクの挿入時にディスプレイに表示するとともに再
生した画像をディスプレイに表示する出力部と、前記出力部を制御する制御部とを備え、
前記制御部は、使用者の指示により録画済のタイトルが選択された際に再生した画像をデ
ィスプレイに表示させるとともに、使用者の指示により予約録画項目が選択された際に予
約録画の設定画面をディスプレイに表示させることを特徴としている。
【手続補正３】
【補正対象書類名】明細書
【補正対象項目名】０００９
【補正方法】変更
【補正の内容】
【０００９】
また本考案は、ディスプレイに接続され、放送を受信してディスクに録画するとともに
、録画した映像を再生して該ディスプレイに表示するディスク記録再生装置において、該
ディスクの録画可能な残り時間と、該ディスクに録画済のタイトルの一覧とを有するメニ
ュー画面をディスクの挿入時にディスプレイに表示するとともに再生した画像をディスプ
レイに表示する出力部と、前記出力部を制御する制御部とを備え、前記制御部は、使用者
の指示により録画済のタイトルが選択された際に再生した画像をディスプレイに表示させ
ることを特徴としている。
【手続補正４】
【補正対象書類名】明細書
【補正対象項目名】００１１
【補正方法】変更
【補正の内容】
【００１１】
また本考案は、上記構成のディスク記録再生装置において、前記出力部は予約録画の設
定を指示する予約録画項目を前記メニュー画面に表示し、前記制御部は、使用者の指示に
より予約録画項目が選択された際に予約録画の設定画面をディスプレイに表示させること
を特徴としている。この構成によると、メニュー画面に表示される予約録画項目を選択す
ると予約録画の設定画面が表示され、録画予約を行うことができる。
【手続補正５】
【補正対象書類名】明細書
【補正対象項目名】００１２
【補正方法】変更
【補正の内容】
【００１２】
また本考案は、上記構成のディスク記録再生装置において、ディスクのフォーマットを
指示するフォーマット項目と、録画済のタイトルの消去を指示する消去項目とを前記出力
部により前記メニュー画面に表示したことを特徴としている。
【手続補正６】
【補正対象書類名】明細書
【補正対象項目名】００１４
【補正方法】変更
【補正の内容】
【００１４】
また本考案は、上記構成のディスク記録再生装置において、前記出力部はタイトルの一
覧からカーソルが配置されたタイトルを再生して前記メニュー画面とともに前記ディスプ
レイに表示し、前記制御部は使用者の指示により前記消去項目が選択された際に該タイト
ルを消去することを特徴としている。この構成によると、一覧表示されるタイトル上にカ
ーソルを移動するとメニュー画面の背景またはメニュー画面と２画面表示でそのタイトル
の再生画面が表示される。使用者は再生画面を確認して消去項目を選択することにより該
タイトルが消去される。
【手続補正７】
【補正対象書類名】明細書
【補正対象項目名】００１５
【補正方法】変更
【補正の内容】
【００１５】
また本考案は、上記構成のディスク記録再生装置において、前記出力部は録画を開始す
る録画項目を前記メニュー画面に表示するとともに、受信中の放送を前記メニュー画面と
ともに前記ディスプレイに表示し、前記制御部は使用者の指示により前記録画項目が選択
された際に該放送の録画を開始することを特徴としている。この構成によると、メニュー
画面の背景またはメニュー画面と２画面表示で現在選択されているチャンネルの番組が表
示される。使用者は番組を確認して録画項目を選択することにより該番組の録画が開始さ
れる。